Podtech/llm-jp-corpus-v4-ja_patent huggingface dataset:
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
第１の回路と、第２の回路と、絶縁層と、を有し、
前記第１の回路は、記憶回路を有し、
前記第２の回路は、増幅回路を有し、
前記第１の回路と、前記第２の回路とは、互いに重なる領域を有し、
前記第２の回路は、前記絶縁層を介して、前記第１の回路上に設けられ、
前記記憶回路は、単結晶半導体を含む第１のチャネル形成領域を有する第１のトランジスタを有し、
前記増幅回路は、酸化物半導体を含む第２のチャネル形成領域を有する第２のトランジスタを有する半導体装置。
【請求項２】
請求項１において
前記第１のチャネル形成領域と、前記第２のチャネル形成領域とは、互いに重なる領域を有する半導体装置。
【請求項３】
請求項１又は２において、
前記第１のトランジスタのソース又はドレインの一方は、前記第２のトランジスタのソース又はドレインの一方と電気的に接続されている半導体装置。
【請求項４】
第１の回路と、第２の回路と、第３の回路と、絶縁層と、を有し、
前記第１の回路は、記憶回路を有し、
前記第２の回路は、増幅回路を有し、
前記第３の回路は、集積回路を有し、
前記第１の回路又は前記第２の回路と、前記第３の回路とは、互いに重なる領域を有し、
前記第１の回路及び前記第２の回路は、前記絶縁層を介して、前記第３の回路上に設けられ、
前記記憶回路は、酸化物半導体を含む第１のチャネル形成領域を有する第１のトランジスタを有し、
前記増幅回路は、酸化物半導体を含む第２のチャネル形成領域を有する第２のトランジスタを有し、
前記集積回路は、単結晶半導体を含む第３のチャネル形成領域を有する第３のトランジスタを有する半導体装置。
【請求項５】
請求項４において、
前記第３のチャネル形成領域と、前記第１のチャネル形成領域又は前記第２のチャネル形成領域とは、互いに重なる領域を有する半導体装置。
【請求項６】
請求項４又は５において、
前記第３のトランジスタのソース又はドレインの一方は、前記第２のトランジスタのソース又はドレインの一方と電気的に接続されている半導体装置。
【請求項７】
請求項１乃至６のいずれか一項において、
前記酸化物半導体は、Ｉｎと、Ｚｎと、Ｍ（Ｍは、Ａｌ、Ｔｉ、Ｇａ、Ｙ、Ｚｒ、Ｌａ、Ｃｅ、ＮｄまたはＨｆ）と、を含む半導体装置。
【請求項８】
請求項１乃至７のいずれか一項に記載の半導体装置と、
表示装置、スピーカー、又はマイクロホンと、を有する電子機器。
【手続補正書】
【提出日】平成30年4月3日(2018.4.3)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
ＳＲＡＭと、
データ記憶部と、を有する半導体装置であって、
前記ＳＲＡＭは、第１のトランジスタと、配線と、を有し、
前記第１のトランジスタは、シリコンをチャネル形成領域に有し、
前記配線は、前記第１のトランジスタに電気的に接続され、
前記データ記憶部は、第２のトランジスタと、容量素子と、を有し、
前記第２のトランジスタは、酸化物半導体をチャネル形成領域に有し、
前記第２のトランジスタのソース又はドレインの一方は、前記第１のトランジスタのソース又はドレインに電気的に接続され、
前記容量素子は、前記第２のトランジスタのソース又はドレインの他方に電気的に接続され、
前記第１のトランジスタのソース又はドレインと、前記配線とは、互いに重なる領域を有し、
前記配線と、前記第２のトランジスタのソース又はドレインとは、互いに重なる領域を有し、
前記第２のトランジスタのソース又はドレインと、前記容量素子の電極とは、互いに重なる領域を有することを特徴とする半導体装置。
【請求項２】
ＳＲＡＭと、
データ記憶部と、を有する半導体装置であって、
前記ＳＲＡＭは、第１のトランジスタと、配線と、を有し、
前記第１のトランジスタは、シリコンをチャネル形成領域に有し、
前記配線は、前記第１のトランジスタに電気的に接続され、
前記データ記憶部は、第２のトランジスタと、第３のトランジスタと、容量素子と、を有し、
前記第２のトランジスタは、酸化物半導体をチャネル形成領域に有し、
前記第３のトランジスタは、シリコンをチャネル形成領域に有し、
前記第２のトランジスタのソース又はドレインの一方は、前記第１のトランジスタのソース又はドレインに電気的に接続され、
前記容量素子は、前記第２のトランジスタのソース又はドレインの他方に電気的に接続され、
前記第２のトランジスタのソース又はドレインの他方は、前記第３のトランジスタのゲートに電気的に接続され、
前記第３のトランジスタのソース又はドレインは、前記第１のトランジスタのソース又はドレインに電気的に接続され、
前記第１のトランジスタのソース又はドレインと、前記配線とは、互いに重なる領域を有し、
前記配線と、前記第２のトランジスタのソース又はドレインとは、互いに重なる領域を有し、
前記第２のトランジスタのソース又はドレインと、前記容量素子の電極とは、互いに重なる領域を有することを特徴とする半導体装置。
【請求項３】
請求項２において、
前記第３のトランジスタは、インバータを構成するｎチャネル型トランジスタ又はｐチャネル型トランジスタであることを特徴とする半導体装置。
【請求項４】
請求項１乃至請求項３のいずれか一において、
前記ＳＲＡＭは、マルチポートであることを特徴とする半導体装置。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
（ａ）開口プレートを貫通するノズルの配列を有する前記開口プレートであって、前記ノズルの配列が、行及び列に配置されている開口プレートと、
（ｂ）インク供給室に流体接続された噴射器の配列であって、各噴射器が、
１０：１から２０：１の長さ：幅比と、第１の端部と、前記第１の端部に対向する第２の端部とを有する本体室であって、前記第１の端部及び前記第２の端部が、高さを定めている本体室と、
前記本体室を、前記インク供給室に、流体接続する入口と、
前記開口プレート上のノズルに流体接続された、前記第１の端部における出口と、
前記本体室の前記第２の端部に隣接しているダイヤフラムとを備え、
前記開口プレートの外部平面の眺めにおいて、各本体室の長さが、ノズルの行と角度をなしており、前記角度が、少なくとも１０度ありかつ９０度未満である、噴射器の配列とを備えるインクジェットプリントヘッド。
【請求項２】
前記角度が少なくとも４５度ある、請求項１に記載のプリントヘッド。
【請求項３】
互いに隣り合っているノズルの間隔が、２００μｍより大きい、請求項１に記載のプリントヘッド。
【請求項４】
互いに隣り合っているノズルの間隔が、１０００μｍより大きい、請求項１に記載のプリントヘッド。
【請求項５】
前記プリントヘッドが、平坦な、パターン化された材料の積み重ねを接着することによって形成されている、請求項１に記載のプリントヘッド。
【請求項６】
導電トレースが、各ダイヤフラムに対向して配置されており、電圧が、前記ダイヤフラムに偏向を引き起こす静電力を誘起するために、前記導電トレースに印加される、請求項１に記載のプリントヘッド。
【請求項７】
前記各本体室の下面が、等しい長さの２辺と、等しい幅の２辺とを有する４辺の長方形である、請求項１に記載のプリントヘッド。
【請求項８】
前記各本体室の下面が、長さが等しい４辺と、９０度より大きい２つの等しい内角と、９０度より小さい２つの等しい内角とを有する四辺形である、請求項１に記載のプリントヘッド。
【請求項９】
前記各本体室の下面が四辺形である、請求項１に記載のプリントヘッド。
【請求項１０】
各噴射器において、前記入口が、前記本体室の前記出口から離れている、請求項１に記載のプリントヘッド。
【請求項１１】
前記各噴射器において、前記入口が、前記本体室の前記第１の端部における前記出口を同心円状に囲んでいる、請求項１に記載のプリントヘッド。
【請求項１２】
前記本体室が、少なくとも１５：１の長さ：幅比を有する、請求項１に記載のプリントヘッド。
【請求項１３】
前記開口プレートが、長方形であり、長辺及び短辺を有し、前記ノズルの配列の前記行が、前記長辺に対して平行であり、前記ノズルの配列の前記列が、前記長辺に対して傾斜している、請求項１に記載のプリントヘッド。
【請求項１４】
前記インク供給室が、単一のインク供給部により、複数の入口に接続されている、請求項１に記載のプリントヘッド。
【請求項１５】
前記ダイヤフラムの厚さが、０．５μｍ〜２０μｍである、請求項１に記載のプリントヘッド。
【請求項１６】
各ダイヤフラムが、前記ダイヤフラムの片面に接触している圧電材料によって偏向される、請求項１に記載のプリントヘッド。
【請求項１７】
前記圧電材料の厚さが、０．５μｍ〜５０μｍである、請求項１６に記載のプリントヘッド。
【手続補正書】
【提出日】平成29年8月21日(2017.8.21)
【手続補正１】
【補正対象書類名】特許請求の範囲
【補正対象項目名】請求項１
【補正方法】変更
【補正の内容】
【請求項１】
二輪車、三輪車などに装着するハンドルカバーにおいて、本体の一辺に装着用紐を通し、平面部に指先を可動出来る状態にした手袋を合体してなり、前記本体の一辺に装着用紐を通した方を乗り物のハンドルの中心側にして、
前記の手袋の有している面を内側にし、グリップに被せ、前記本体の一辺に通した装着用紐を両側から引き出し、乗り物のハンドルに結んで装着するハンドルカバー。
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
遊技を行う遊技機であって、
遊技者の動作を検出可能な動作検出手段と、
前記動作検出手段によって遊技者の動作が検出される動作有効期間が設けられた動作演出を実行する動作演出実行手段と、
前記動作検出手段による遊技者の動作の検出タイミングが、前記動作有効期間内であれば、遊技者にとって有利な遊技状態に移行する可能性の報知を実行する報知実行手段と、
前記動作検出手段による遊技者の動作の検出タイミングが、前記動作有効期間内の特定タイミングであるときに、特定演出を実行する特定演出実行手段と、を備え、
前記特定演出実行手段は、前記報知実行手段が特定の報知を実行する場合は前記特定演出の実行を制限する、
ことを特徴する遊技機。
【手続補正２】
【補正対象書類名】明細書
【補正対象項目名】０００７
【補正方法】変更
【補正の内容】
【０００７】
（Ａ）遊技者の動作を検出可能な動作検出手段と、
前記動作検出手段によって遊技者の動作が検出される動作有効期間が設けられた動作演出を実行する動作演出実行手段と、
前記動作検出手段による遊技者の動作の検出タイミングが、前記動作有効期間内であれば、遊技者にとって有利な遊技状態に移行する可能性の報知を実行する報知実行手段と、
前記動作検出手段による遊技者の動作の検出タイミングが、前記動作有効期間内の特定タイミングであるときに、特定演出を実行する特定演出実行手段と、を備え、
前記特定演出実行手段は、前記報知実行手段が特定の報知を実行する場合は前記特定演出の実行を制限する、
ことを特徴する。
（１）上記目的を達成するため本発明に係る遊技機は、
遊技を行う遊技機（例えば、パチンコ遊技機１など）であって、
遊技者の動作（例えば、遊技者の操作）を検出可能な動作検出手段（例えば、プッシュボタン３１Ｂ及びプッシュセンサ３５Ｂなど）と、
前記動作検出手段によって遊技者の動作が検出される動作有効期間（例えば、操作有効期間など）が設けられた動作演出（例えば、予告Ａの操作前演出など）を実行する動作演出実行手段（例えば、ステップＳ５３０で操作前演出を実行する演出制御用ＣＰＵ１２０など）と、
前記動作検出手段による遊技者の動作の検出タイミングが、前記動作有効期間内であれば、遊技者にとって有利な遊技状態（例えば、大当り遊技状態など）に移行する可能性の報知（例えば、予告Ａの成功又は失敗の操作後演出など）を実行する報知実行手段（例えば、ステップＳ５３０で操作後演出を実行する演出制御用ＣＰＵ１２０など）と、
前記動作検出手段による遊技者の動作の検出タイミングが、前記動作有効期間内の特定タイミング（例えば、最良タイミングなど）であるときに、特定演出（例えば、ＳＴ演出など）を実行する特定演出実行手段（例えば、ステップＳ５３０でＳＴ演出を実行する演出制御用ＣＰＵ１２０など）と、を備え、
前記特定演出実行手段は、前記報知実行手段が実行する前記報知が前記有利な遊技状態に移行する可能性が低いことを報知する特定の報知（例えば、失敗の操作後演出など）となる動作演出（例えば、予告Ａ（失敗））において前記特定演出の実行を制限する（例えば、予告Ａ（失敗）を実行すると決定したときにステップＳ７７９において演出制限フラグをオン状態とし、演出制限フラグがオン状態のときには、ステップＳ９１９においてＳＴ演出を実行しないようにする演出制御用ＣＰＵ１２０など）、
ことを特徴とする。
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
遊技媒体の投入操作を検出する投入操作検出手段と、
前記投入操作検出手段による投入操作の検出に基づいて遊技者による開始操作を検出する開始操作検出手段と、
前記開始操作検出手段による開始操作の検出に基づいて予め定められた確率で内部当籤役を決定する内部当籤役決定手段と、
複数の表示列によって構成され、前記開始操作検出手段による開始操作の検出に基づいて、遊技に必要な図柄を変動表示する変動表示手段と、
遊技者による停止操作の検出を行う停止操作検出手段と、
前記内部当籤役決定手段の決定結果と前記停止操作検出手段による停止操作の検出とに基づいて、前記図柄の変動表示を停止させる停止制御手段と、
主制御部により制御されて、前記複数の表示列に対する停止操作の順番又は／及び特定の表示列に停止表示させる図柄が識別可能な情報である指示情報を表示する指示情報表示手段と、
前記主制御部から送信された指示情報を受信する副制御部により制御され、前記指示情報を遊技者が認識できるように報知する報知手段と、を備え、
前記内部当籤役決定手段は、前記複数の表示列に対する停止操作の態様に応じて、変動表示を停止させた場合の図柄の組合せが異なるようにした複数の特定役を予め定められた確率で内部当籤役として決定し、
前記複数の特定役は、遊技者にとって有利な特典が付与される図柄の組合せが表示される場合の停止操作の態様が異なり、
前記複数の特定役のうちの何れかが内部当籤役として決定された場合に、前記指示情報表示手段は、内部当籤役として決定された特定役と少なくとも１つの他の特定役とをグループ化して割り当てたグループ指示情報を表示し、
前記グループ指示情報は、内部当籤役として決定された特定役に係る前記停止操作の態様に対応する停止操作を行わせる可能性を高めることが可能な情報であり、
前記副制御部は、前記グループ指示情報を受信した場合に、前記複数の特定役のうちの何れかが内部当籤役として決定されたことを示す報知情報を前記報知手段に報知させる
ことを特徴とする遊技機。
【請求項２】
前記停止操作の態様には、少なくとも第１の停止操作の態様、第２の停止操作の態様、及び、第３の停止操作の態様があり、
前記グループ指示情報には、少なくとも、内部当籤役として決定された特定役に係る前記停止操作の態様が前記第１の停止操作の態様又は前記第２の停止操作の態様であり、且つ、前記第３の停止操作の態様でないことを示す第１グループ指示情報と、内部当籤役として決定された特定役に係る前記停止操作の態様が前記第１の停止操作の態様又は前記第３の停止操作の態様であり、且つ、前記第２の停止操作の態様でないことを示す第２グループ指示情報と、があり、
前記指示情報表示手段は、内部当籤役として決定された特定役に係る前記停止操作の態様が前記第１の停止操作の態様であるとき、前記第１グループ指示情報又は前記第２グループ指示情報を、選択的に表示する
ことを特徴とする請求項１に記載の遊技機。
【手続補正２】
【補正対象書類名】明細書
【補正対象項目名】０００６
【補正方法】変更
【補正の内容】
【０００６】
しかし、特許文献１に開示された遊技機のように、７セグメントＬＥＤの表示パターンを複数設けても、表示パターンが単調であると、遊技者が決定された内部当籤役を容易に判別してしまうという問題があった。
ところで、複数の内部当籤役をグループ化し、そのグループ化した情報に対応した報知を行うことが望まれている。
【手続補正３】
【補正対象書類名】明細書
【補正対象項目名】０００７
【補正方法】変更
【補正の内容】
【０００７】
本発明は、上記課題を解決するためになされたものであり、本発明の目的は、複数の内部当籤役をグループ化し、そのグループ化した情報に対応した報知を行うことができる遊技機を提供することである。
【手続補正４】
【補正対象書類名】明細書
【補正対象項目名】０００９
【補正方法】変更
【補正の内容】
【０００９】
遊技媒体の投入操作を検出する投入操作検出手段（例えば、後述のメダルセンサ３５Ｓ）と、
前記投入操作検出手段による投入操作の検出に基づいて遊技者による開始操作を検出する開始操作検出手段（例えば、後述のスタートスイッチ１６Ｓ）と、
前記開始操作検出手段による開始操作の検出に基づいて予め定められた確率で内部当籤役を決定する内部当籤役決定手段（例えば、後述の内部抽籤処理）と、
複数の表示列によって構成され、前記開始操作検出手段による開始操作の検出に基づいて、遊技に必要な図柄を変動表示する変動表示手段（例えば、後述の３つのリール３Ｌ，３Ｃ，３Ｒ及び３つのステッピングモータ６１Ｌ，６１Ｃ，６１Ｒ）と、
遊技者による停止操作の検出を行う停止操作検出手段（例えば、後述のストップスイッチ１７Ｓ）と、
前記内部当籤役決定手段の決定結果と前記停止操作検出手段による停止操作の検出とに基づいて、前記図柄の変動表示を停止させる停止制御手段（例えば、後述のリール停止制御処理）と、
主制御部（例えば、後述の主制御部４０）により制御されて、前記複数の表示列に対する停止操作の順番（例えば、後述のストップボタンの押し順）又は／及び特定の表示列に停止表示させる図柄が識別可能な情報である指示情報を表示する指示情報表示手段（例えば、後述の指示モニタとしての払出枚数表示器６ａ）と、
前記主制御部から送信された指示情報を受信する副制御部により制御され、前記指示情報を遊技者が認識できるように報知する報知手段（例えば、後述の液晶表示装置１１）と、を備え、
前記内部当籤役決定手段は、前記複数の表示列に対する停止操作の態様に応じて、変動表示を停止させた場合の図柄の組合せが異なるようにした複数の特定役を予め定められた確率で内部当籤役として決定し、
前記複数の特定役は、遊技者にとって有利な特典が付与される図柄の組合せが表示される場合の停止操作の態様が異なり、
前記複数の特定役のうちの何れかが内部当籤役として決定された場合に、前記指示情報表示手段は、内部当籤役として決定された特定役と少なくとも１つの他の特定役とをグループ化して割り当てたグループ指示情報を表示し、
前記グループ指示情報は、内部当籤役として決定された特定役に係る前記停止操作の態様に対応する停止操作を行わせる可能性を高めることが可能な情報であり、
前記副制御部は、前記グループ指示情報を受信した場合に、前記複数の特定役のうちの何れかが内部当籤役として決定されたことを示す報知情報を前記報知手段に報知させる
ことを特徴とする遊技機。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
上記構成の本発明の遊技機によれば、複数の内部当籤役をグループ化し、そのグループ化した情報に対応した報知を行うことができる。
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
スピーカを備えた遊技機であって、
前記スピーカは、
コーン状の振動板と、
前記振動板の中央部に配置された筒状のボイスコイルと、
前記ボイスコイルと協働して前記振動板を駆動する磁石ユニットと、
前記振動板、前記ボイスコイルまたは前記磁石ユニットによって取り囲まれた空間に、少なくとも一部が配置され、前方に向かう光を発光する発光手段とを含む、遊技機。
【請求項２】
前記スピーカは、前記ボイスコイルの前面を覆うセンターキャップをさらに含み、
前記センターキャップは、透光性を有し、
前記発光手段は、前記センターキャップの後方に配置されている、請求項１に記載の遊技機。
【請求項３】
前記発光手段は、前記振動板によって取り囲まれた第１の空間に配置された発光体を含む、請求項１または２に記載の遊技機。
【請求項４】
前記発光手段は、前記ボイスコイルによって取り囲まれた第２の空間に収容配置された発光体を含む、請求項１または２に記載の遊技機。
【請求項５】
前記発光手段は、
少なくとも、前記磁石ユニットによって取り囲まれた第３の空間を挿通する導光部と、
前記磁石ユニットよりも後方で、前記導光部の後端面に対向する発光体とを含む、請求項１または２に記載の遊技機。
【請求項６】
前記スピーカは、当該スピーカの前方を覆う前カバーの後方に配置され、前後方向に交差する方向に延びる導光板であって、前記導光部に一体に設けられた導光板をさらに含む、請求項５に記載の遊技機。
【手続補正２】
【補正対象書類名】明細書
【補正対象項目名】０００５
【補正方法】変更
【補正の内容】
【０００５】
前記の目的を達成するための請求項１に記載の発明は、スピーカを備えた遊技機であって、前記スピーカは、コーン状の振動板と、前記振動板の中央部に配置された筒状のボイスコイルと、前記ボイスコイルと協働して前記振動板を駆動する磁石ユニットと、前記振動板、前記ボイスコイルまたは前記磁石ユニットによって取り囲まれた空間に、少なくとも一部が配置され、前方に向かう光を発光する発光手段とを含む、遊技機を提供する。
【手続補正３】
【補正対象書類名】明細書
【補正対象項目名】０００６
【補正方法】変更
【補正の内容】
【０００６】
請求項２に記載の発明は、前記スピーカは、前記ボイスコイルの前面を覆うセンターキャップをさらに含み、前記センターキャップは、透光性を有し、前記発光手段は、前記センターキャップの後方に配置されている、請求項１に記載の遊技機である。
請求項３に記載の発明は、前記発光手段は、前記振動板によって取り囲まれた第１の空間に配置された発光体を含む、請求項１または２に記載の遊技機である。
【手続補正４】
【補正対象書類名】明細書
【補正対象項目名】０００７
【補正方法】変更
【補正の内容】
【０００７】
請求項４に記載の発明は、前記発光手段は、前記ボイスコイルによって取り囲まれた第２の空間に収容配置された発光体を含む、請求項１または２に記載の遊技機である。
請求項５に記載の発明は、前記発光手段は、少なくとも、前記磁石ユニットによって取り囲まれた第３の空間を挿通する導光部と、前記磁石ユニットよりも後方で、前記導光部の後端面に対向する発光体とを含む、請求項１または２に記載の遊技機である。
【手続補正５】
【補正対象書類名】明細書
【補正対象項目名】０００８
【補正方法】変更
【補正の内容】
【０００８】
請求項６に記載の発明は、前記スピーカは、当該スピーカの前方を覆う前カバーの後方に配置され、前後方向に交差する方向に延びる導光板であって、前記導光部に一体に設けられた導光板をさらに含む、請求項５に記載の遊技機である。
【手続補正６】
【補正対象書類名】明細書
【補正対象項目名】００１５
【補正方法】変更
【補正の内容】
【００１５】
スピーカ１５は、たとえばダイナミックスピーカであり、略カップ状のフレーム１７と、フレーム１７に保持されている、たとえばコーン状の振動板１８と、振動板１８に連結されているボイスコイル１９と、ボイスコイル１９と協働して振動板１８を振動させる磁気回路（磁石ユニット）２０とを含む。
磁気回路２０は、プレート２１、リングマグネット２２およびヨーク２３を含む。プレート２１は円盤状をなしており、フレーム１７に後方から固定されている。プレート２１の後方には、永久磁石を用いて構成されたリングマグネット２２が配置されている。リングマグネット２２には、後方から、円盤状のヨーク２３が固定されている。ヨーク２３は、ヨーク２３と一体的に設けられ、ヨーク２３の内周端から前方に向けて突出する（前後方向に延びている）円筒状のポールピース２４を有している。ポールピース２４は、プレート２１およびリングマグネット２２の内周を挿通している。
【手続補正７】
【補正対象書類名】明細書
【補正対象項目名】００４４
【補正方法】変更
【補正の内容】
【００４４】
第３の実施形態においてポールピース２４の内径は、第１の実施形態の場合よりも小径に設けられている。そのため、第３の実施形態に係る第３の空間３３６は、ポールピース２４によって取り囲まれた円筒状の空間という点では第１の実施形態に係る第３の空間３６と同等であるものの、当該第３の空間３６よりも小径に設けられている。
第１の導光部材３０２は、前後方向に延びる円筒棒状の第１の導光棒（導光部）３０３と、第１の導光棒３０３の前端部に設けられた放光部３０４とを一体に含む。第１の導光部材３０２は、透明の合成樹脂材料（たとえば、アクリル樹脂、ポリカーボネート（ＰＣ）、ＡＢＳ樹脂）を用いて一体的に形成されている。第１の導光棒３０３は、第３の空間３３６を前後に挿通している。第１の導光棒３０３は第１の後端面３０６を有しており、第１の後端面３０６は、ポールピース２４よりも後方に位置している。第１の導光棒３０３はポールピース２４に内嵌固定されており、これにより、第１の導光部材３０２がポールピース２４に位置決めされている。
【手続補正８】
【補正対象書類名】明細書
【補正対象項目名】００６３
【補正方法】変更
【補正の内容】
【００６３】
１    弾球遊技機（遊技機）
１５    スピーカ
１６    前カバー
１８    振動板
１８Ａ  内周部（中央部）
１９    ボイスコイル
２０    磁気回路
２４    ポールピース
３２    センターキャップ
３４    第１の空間
３５    第２の空間
３６    第３の空間
３７    第１のＬＥＤ（発光体）
２１５    スピーカ
２３７    第２のＬＥＤ（発光体）
３０３    第１の導光棒
３０６    第１の後端面
３１５    スピーカ
３３７    第３のＬＥＤ（発光体）
４０３    第２の導光棒
４０４    導光板
４０６    第２の後端面
４１５    スピーカ
４３７    第４のＬＥＤ（発光体）
【手続補正書】
【提出日】平成30年5月14日(2018.5.14)
【手続補正１】
【補正対象書類名】明細書
【補正対象項目名】０００６
【補正方法】変更
【補正の内容】
【０００６】
実施形態に係るＸ線診断装置は、Ｘ線発生器と、Ｘ線検出器と、第１の画像生成部と、測定部と、第２の画像生成部と、表示制御部とを備える。Ｘ線発生器は、所定の間隔でＸ線を発生させる。Ｘ線検出器は、前記Ｘ線を検出する。第１の画像生成部は、前記Ｘ線検出器により検出されたＸ線毎に、第１の画像を生成する。測定部は、前記Ｘ線が発生されてから次のＸ線が発生されるまでの間における撮像範囲に対する被検体の移動量を測定する。第２の画像生成部は、前記第１の画像生成部により生成された前記第１の画像を、前記測定部により測定された前記移動量に応じて変更した第２の画像を生成する。表示制御部は、前記第１の画像が表示されてから次の前記第１の画像が表示されるまでの間において前記第２の画像を表示させる。
【手続補正２】
【補正対象書類名】特許請求の範囲
【補正対象項目名】全文
【補正方法】変更
【補正の内容】
【特許請求の範囲】
【請求項１】
所定の間隔でＸ線を発生させるＸ線発生器と、
前記Ｘ線を検出するＸ線検出器と、
前記Ｘ線検出器により検出されたＸ線毎に、第１の画像を生成する第１の画像生成部と、
前記Ｘ線が発生されてから次のＸ線が発生されるまでの間における撮像範囲に対する被検体の移動量を測定する測定部と、
前記第１の画像生成部により生成された前記第１の画像を、前記測定部により測定された前記移動量に応じて変更した第２の画像を生成する第２の画像生成部と、
前記第１の画像が表示されてから次の前記第１の画像が表示されるまでの間において前記第２の画像を表示させる表示制御部と、
を備える、Ｘ線診断装置。
【請求項２】
前記測定部は、前記Ｘ線が発生されてから次のＸ線が発生されるまでの時間より短い時間における前記移動量を測定する、請求項１に記載のＸ線診断装置。
【請求項３】
前記表示制御部は、前記第１の画像が表示されてから前記短い時間が経過した時点で前記第２の画像を表示させる、請求項２に記載のＸ線診断装置。
【請求項４】
前記第２の画像生成部は、前記移動量に応じて前記第１の画像の画素位置を移動させることで、前記第２の画像を生成する、請求項１〜３のいずれか一つに記載のＸ線診断装置。
【請求項５】
前記表示制御部は、前記第１の画像を表示させる場合には、当該第１の画像と直前に表示された画像とを所定の割合で加算する処理を含むフィルタ処理を行った画像を表示させ、前記第２の画像を表示させる場合には、当該第２の画像と直前に表示された画像とを所定の割合で加算する処理を含むフィルタ処理を行った画像を表示させる、請求項１〜４のいずれか一つに記載のＸ線診断装置。
【請求項６】
前記表示制御部は、前記フィルタ処理として、リカーシブフィルタ処理が行われた画像を表示させる、請求項５に記載のＸ線診断装置。
【請求項７】
前記移動量が閾値以上であるか否かを判定する判定部を更に備え、
前記第２の画像生成部は、前記判定部により前記移動量が前記閾値以上であると判定された場合に、前記第２の画像を生成し、
前記表示制御部は、前記所定の間隔で前記第１の画像を表示させるとともに、前記判定部により前記移動量が前記閾値以上であると判定された場合に、前記第１の画像が表示されてから次の前記第１の画像が表示されるまでの間に、前記第２の画像を表示させる、請求項１〜６のいずれか一つに記載のＸ線診断装置。
【請求項８】
前記測定部は、前記Ｘ線検出器と前記被検体が載置される天板との位置関係から前記移動量を測定する、請求項１〜７のいずれか一つに記載のＸ線診断装置。
【請求項９】
前記第２の画像生成部は、前記第１の画像の画素位置の変更により画素が不足した部分に対して、ランダムに設定される画素値の画素を補間する、請求項１〜８のいずれか一つに記載のＸ線診断装置。
【請求項１０】
前記第２の画像生成部は、前記第１の画像の画素位置の変更により画素が不足した部分に対して、前記第２の画像の端辺の画素の複製に基づく画素を補間する、請求項１〜８のいずれか一つに記載のＸ線診断装置。
【請求項１１】
前記第２の画像生成部は、前記第１の画像の画素位置の変更により画素が不足した部分に対して、前記第１の画像に基づく画素を補間する、請求項１〜８のいずれか一つに記載のＸ線診断装置。
【請求項１２】
前記表示制御部は、表示を停止する場合に、前記第１の画像を表示させる、請求項１〜１０のいずれか一つに記載のＸ線診断装置。
【請求項１３】
前記第１の画像を所定の画像記憶部に保存する、請求項１〜１２のいずれか一つに記載のＸ線診断装置。
【請求項１４】
Ｘ線検出器により検出されたＸ線毎に、第１の画像を生成し、
前記Ｘ線が発生されてから次のＸ線が発生されるまでの間における撮像範囲に対する被検体の移動量を測定し、
前記第１の画像を生成する処理により生成された前記第１の画像を、前記測定する処理により測定された前記移動量に応じて変更した第２の画像を生成し、
前記第１の画像が表示されてから次の前記第１の画像が表示されるまでの間において前記第２の画像を表示させる
各処理をコンピュータに実行させる、画像処理プログラム。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
患者眼の患部に治療レーザ光を照射するレーザ治療装置であって、
前記患者眼の観察部位に照明光を投光する照明手段と、
前記観察部位の観察像を呈示する呈示手段と、
前記呈示手段が呈示する前記観察像上に、前記治療レーザ光の照射条件に関するパラメータを表示する表示手段と、
を備え、
前記表示手段は、前記照明手段によって照明される前記観察部位の照明領域を考慮して、前記観察像上に表示する前記パラメータの表示位置を決定することを特徴とするレーザ治療装置。
【請求項２】
請求項１に記載のレーザ治療装置であって、
前記照明手段は、前記観察部位と共役な位置に開口部および遮光部を有する照野絞りを備えると共に、前記観察部位に前記開口部の像および前記遮光部の像を形成し、
前記表示手段は、前記観察像の領域内のうち前記遮光部による遮光領域上に前記パラメータを表示する、
ことを特徴とするレーザ治療装置。
【請求項３】
請求項１または２に記載のレーザ治療装置であって、
前記パラメータは、種類が異なる複数のパラメータを含み、
前記表示手段は、前記照明領域の形状を考慮して、前記複数のパラメータの一部を、他のパラメータを表示させる位置から離間した位置に表示する、
ことを特徴とするレーザ治療装置。
【請求項４】
請求項１〜３のいずれか１項に記載のレーザ治療装置であって、
前記照明手段による前記照明領域を調節するための調節手段と、
前記調節手段によって調節される前記照明領域を検知する領域検知部とを備え、
前記表示手段は、前記領域検知部よって検知された前記照明領域に基づいて前記観察像上に表示する前記パラメータの表示位置を決定する、
ことを特徴とするレーザ治療装置。
【請求項５】
請求項１〜４のいずれか１項に記載のレーザ治療装置であって、
前記呈示手段は、前記観察部位を変倍して前記観察像を形成する変倍手段を備え、
前記表示手段は、前記変倍手段の変倍量を検知して、前記変倍量に基づいて前記パラメータの表示位置を決定する、
ことを特徴とするレーザ治療装置。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
患者眼の患部に治療レーザ光を照射するレーザ治療装置であって、前記患者眼の観察部位に照明光を投光する照明手段と、前記観察部位の観察像を呈示する呈示手段と、前記呈示手段が呈示する前記観察像上に、前記治療レーザ光の照射条件に関するパラメータを表示する表示手段と、を備え、前記表示手段は、前記照明手段によって照明される前記観察部位の照明領域を考慮して、前記観察像上に表示する前記パラメータの表示位置を決定することを特徴とするレーザ治療装置。
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
遊技者による開始操作を検出する開始操作検出手段と、
前記開始操作検出手段による開始操作の検出に基づいて予め定められた確率で内部当籤役を決定する内部当籤役決定手段と、
複数の表示列によって構成され、前記開始操作検出手段による開始操作の検出に基づいて、遊技に必要な図柄を変動表示する変動表示手段と、
遊技者による停止操作の検出を行う停止操作検出手段と、
前記内部当籤役決定手段の決定結果と前記停止操作検出手段による停止操作の検出とに基づいて、前記図柄の変動表示を停止させる停止制御手段と、
主制御部により制御されて、前記複数の表示列に対する停止操作の順番又は／及び特定の表示列の停止表示させる図柄が識別可能な情報である指示情報を表示する第１表示手段と、
前記主制御部から送信された前記指示情報を受信する副制御部により制御され、所定の期間において、前記第１表示手段による前記指示情報の表示よりも、当該指示情報が示す意味を遊技者が認識し易く報知する第２表示手段と、を備え、
前記内部当籤役決定手段は、前記複数の表示列に対する停止操作の態様に応じて、変動表示を停止させた場合の図柄の組合せが異なるようにした複数の特定役を内部当籤役として決定し、
前記複数の特定役は、利益が付与される図柄の組合せが表示される場合の停止操作の態様が同じであり、前記指示情報が異なり、
前記第２表示手段は、単一の指示情報に対して、当該指示情報を遊技者が認識できる範囲で複数の表示パターンを有する
ことを特徴とする遊技機。
【手続補正２】
【補正対象書類名】明細書
【補正対象項目名】０００６
【補正方法】変更
【補正の内容】
【０００６】
ところで、特許文献１に記載された遊技機では、メイン設定値を高くした場合は、サブ設定値を低くして、全体の出玉率を調整する必要があり、設定値を変更する作業が煩雑になるという問題があった。
また、副制御部の制御が出玉率に影響を及ぼさないようにすることが望まれている。
【手続補正３】
【補正対象書類名】明細書
【補正対象項目名】０００７
【補正方法】変更
【補正の内容】
【０００７】
本発明は、上記課題を解決するためになされたものであり、本発明の目的は、副制御部の制御が出玉率に影響を及ぼさないようにすることができる遊技機を提供することである。
【手続補正４】
【補正対象書類名】明細書
【補正対象項目名】０００９
【補正方法】変更
【補正の内容】
【０００９】
遊技者による開始操作を検出する開始操作検出手段（例えば、後述のスタートスイッチ１６Ｓ）と、
前記開始操作検出手段による開始操作の検出に基づいて、主制御部により制御されて予め定められた確率で内部当籤役を決定する内部当籤役決定手段（例えば、後述の内部抽籤処理）と、
複数の表示列によって構成され、前記開始操作検出手段による開始操作の検出に基づいて、遊技に必要な図柄を変動表示する変動表示手段（例えば、後述の３つのリール３Ｌ，３Ｃ，３Ｒ及び３つのステッピングモータ６１Ｌ，６１Ｃ，６１Ｒ）と、
遊技者による停止操作の検出を行う停止操作検出手段（例えば、後述のストップスイッチ１７Ｓ）と、
前記内部当籤役決定手段の決定結果と前記停止操作検出手段による停止操作の検出とに基づいて、前記図柄の変動表示を停止させる停止制御手段（例えば、後述のリール停止制御処理）と、
主制御部（例えば、後述の主制御部４３）により制御されて、前記複数の表示列に対する停止操作の順番（例えば、後述のストップボタンの押し順）又は／及び特定の表示列の停止表示させる図柄が識別可能な情報である指示情報を表示する第１表示手段（例えば、後述の指示モニタとしての払出枚数表示器６ａ）と、
前記主制御部から送信された前記指示情報を受信する副制御部により制御され、所定の期間において、前記第１表示手段による前記指示情報の表示よりも、当該指示情報が示す意味を遊技者が認識し易く報知する第２表示手段と、を備え、
前記内部当籤役決定手段は、前記複数の表示列に対する停止操作の態様（例えば、後述のストップボタンの押し順）に応じて、変動表示を停止させた場合の図柄の組合せが異なるようにした複数の特定役（例えば、後述の左ベル１、左ベル２、左ベル３、左ベル４）を内部当籤役として決定し、
前記複数の特定役は、利益（例えば、後述の９枚のメダルの払出し）が付与される図柄の組合せが表示される場合の停止操作の態様が同じであり、前記指示情報が異なり（例えば、後述の「０１」、「１６」、「３０」、「３１」）、
前記第２表示手段は、単一の指示情報に対して、当該指示情報を遊技者が認識できる範囲で複数の表示パターンを有する
ことを特徴とする遊技機。
【手続補正５】
【補正対象書類名】明細書
【補正対象項目名】００１０
【補正方法】変更
【補正の内容】
【００１０】
上記構成の本発明の遊技機によれば、副制御部の制御が出玉率に影響を及ぼさないようにすることができる。
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
遊技者による開始操作を検出する開始操作検出手段と、
前記開始操作検出手段による開始操作の検出に基づいて予め定められた確率で内部当籤役を決定する内部当籤役決定手段と、
複数の表示列によって構成され、前記開始操作検出手段による開始操作の検出に基づいて、遊技に必要な図柄を変動表示する変動表示手段と、
遊技者による停止操作の検出を行う停止操作検出手段と、
前記内部当籤役決定手段の決定結果と前記停止操作検出手段による停止操作の検出とに基づいて、前記図柄の変動表示を停止させる停止制御手段と、
主制御部により制御されて、前記複数の表示列に対する停止操作の順番又は／及び特定の表示列に停止表示させる図柄が識別可能な情報である指示情報を表示する指示情報表示手段と、
副制御部により制御されて演出を実行する演出手段と、を備え、
前記主制御部は、前記指示情報の表示を行う特定期間において、前記複数の表示列に対する停止操作の順番又は／及び特定の表示列に停止表示させる図柄が識別不可能な情報である非識別指示情報を前記副制御部に送信可能であり、
前記副制御部は、前記非識別指示情報を受信したときに、前記演出手段を制御して停止操作の態様を遊技者に選択させる停止操作態様選択演出を実行させる
ことを特徴とする遊技機。
【手続補正２】
【補正対象書類名】明細書
【補正対象項目名】００１０
【補正方法】変更
【補正の内容】
【００１０】
遊技者による開始操作を検出する開始操作検出手段（例えば、後述のスタートスイッチ１６Ｓ）と、
前記開始操作検出手段による開始操作の検出に基づいて予め定められた確率で内部当籤役を決定する内部当籤役決定手段（例えば、後述の内部抽籤処理）と、
複数の表示列によって構成され、前記開始操作検出手段による開始操作の検出に基づいて、遊技に必要な図柄を変動表示する変動表示手段（例えば、後述の３つのリール３Ｌ，３Ｃ，３Ｒ及び３つのステッピングモータ６１Ｌ，６１Ｃ，６１Ｒ）と、
遊技者による停止操作の検出を行う停止操作検出手段（例えば、後述のストップスイッチ１７Ｓ）と、
前記内部当籤役決定手段の決定結果と前記停止操作検出手段による停止操作の検出とに基づいて、前記図柄の変動表示を停止させる停止制御手段（例えば、後述のリール停止制御処理）と、
主制御部（例えば、後述の主制御部４３）により制御されて、前記複数の表示列に対する停止操作の順番（例えば、後述のストップボタンの押し順）又は／及び特定の表示列の停止表示させる図柄が識別可能な情報である指示情報を表示する指示情報表示手段（例えば、後述の指示モニタとしての払出枚数表示器６ａ）と、
副制御部（例えば、後述の副制御回路４２）により制御されて演出を実行する演出手段（例えば、後述の液晶表示装置１１）と、を備え、
前記主制御部は、前記指示情報の表示を行う特定期間（例えば、後述の擬似ボーナス（ＡＲＴ）やＸＲ（ＡＲＴ）の期間）において、前記複数の表示列に対する停止操作の順番又は／及び特定の表示列に停止表示させる図柄が識別不可能な情報である非識別指示情報を前記副制御部に送信可能であり、
前記副制御部は、前記非識別指示情報を受信したときに、前記演出手段を制御して停止操作の態様を遊技者に選択させる停止操作態様選択演出（例えば、後述の押し順選択演出）を実行させる
ことを特徴とする遊技機。
【手続補正３】
【補正対象書類名】明細書
【補正対象項目名】００１１
【補正方法】削除
【補正の内容】
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
トレイテーブル（１０２）を浄化するシステム（１００）であって、
紫外線（ＵＶ）光を放射するように構成されたＵＶ光源（１１２）と、
前記ＵＶ光源（１１２）に動作可能に連結された浄化制御ユニット（１１４）と
を含む、浄化アセンブリ（１０８）
を備え、前記浄化制御ユニット（１１４）が、前記トレイテーブル（１０２）が直立位置に固定されているときに、前記ＵＶ光を前記トレイテーブル（１０２）上に放射するために前記ＵＶ光源（１１２）を作動させるように構成されており、前記浄化制御ユニット（１１４）が、前記トレイテーブル（１０２）が前記直立位置に固定されていないときに、前記ＵＶ光源（１１２）が前記ＵＶ光を放射することを防止するように構成されている、システム。
【請求項２】
前記浄化制御ユニット（１１４）と通信するトレイテーブル位置センサ（１１６）であって、前記トレイテーブル（１０２）が前記直立位置に固定されていることを検知するように構成されたトレイテーブル位置センサ（１１６）を更に含む、請求項１に記載のシステム。
【請求項３】
前記浄化アセンブリ（１０８）が、シートアセンブリ（１０６）に強固に接続されている、請求項１または２に記載のシステム。
【請求項４】
前記ＵＶ光源（１１２）が、ＵＶ殺菌照射光を放射するように構成されており、且つ、低圧水銀放電ランプ、一以上の光ファイバカップリング、又は一以上の発光ダイオードのうちの一以上を備える、請求項１から３の何れか一項に記載のシステム。
【請求項５】
前記浄化制御ユニット（１１４）と通信する乗客インターフェース（１１８）であって、前記トレイテーブル（１０２）が前記直立位置に固定されているときに、乗客が浄化サイクルを始動することを可能にするように構成された乗客インターフェース（１１８）を更に含む、請求項１から４の何れか一項に記載のシステム。
【請求項６】
前記浄化制御ユニット（１１４）から遠隔に位置し且つ前記浄化制御ユニット（１１４）と通信する、マスター制御ユニット（１２２）であって、前記浄化アセンブリ（１０８）の動作を監視するように構成されたマスター制御ユニット（１２２）を更に含む、請求項１から５の何れか一項に記載のシステム。
【請求項７】
前記浄化アセンブリ（１０８）及び前記トレイテーブル（１０２）のうちの一方又は両方が、前記ＵＶ光源（１１２）から前記トレイテーブル（１０２）の表面上に放射された前記ＵＶ光を反射するように構成された一以上の反射面を有する、請求項１から６の何れか一項に記載のシステム。
【請求項８】
前記浄化アセンブリ（１０８）又は前記トレイテーブル（１０２）のうちの一方の外面に固定されたカバーフィルタ（３０２）であって、前記ＵＶ光をフィルタするように構成されたカバーフィルタ（３０２）を更に含む、請求項１から７の何れか一項に記載のシステム。
【請求項９】
前記浄化アセンブリ（１０８）が、前記ＵＶ光源（１１２）上に可動に固定されたシャッター（４０２）であって、前記トレイテーブル（１０２）が前記直立位置に固定されていないときに、前記ＵＶ光源（１１２）を覆う閉位置にあり、前記トレイテーブル（１０２）が前記直立位置に固定されているときに、前記ＵＶ光源（１１２）を露出する開位置に移動される、シャッター（４０２）を更に備える、請求項１から８の何れか一項に記載のシステム。
【請求項１０】
トレイテーブル（１０２）の浄化方法であって、
前記トレイテーブル（１０２）が直立位置に固定されているときに、紫外線（ＵＶ）光源（１１２）から前記トレイテーブル（１０２）上へＵＶ光を放射することと、
前記トレイテーブルが前記直立位置に固定されていないときに、前記ＵＶ光源（１１２）からの前記ＵＶ光の放射を防止することと
を含む、方法。
【請求項１１】
トレイテーブル位置センサ（１１６）を用いて、前記トレイテーブル（１０２）が前記直立位置に固定されていることを検知することを更に含む、請求項１０に記載の方法。
【請求項１２】
前記ＵＶ光源（１１２）及び前記トレイテーブル（１０２）を、シートアセンブリ（１０６）の一以上の部分に固定することを更に含む、請求項１０又は１１に記載の方法。
【請求項１３】
前記トレイテーブル（１０２）が前記直立位置に固定されているときに、乗客が浄化サイクルを始動することを可能にするために、乗客インターフェース（１１８）を用いることを更に含む、請求項１０から１２の何れか一項に記載の方法。
【請求項１４】
前記トレイテーブル（１０２）が前記直立位置に固定されていないときに、前記ＵＶ光源（１１２）を覆う閉位置にシャッター（４０２）を移動させることと、
前記トレイテーブル（１０２）が前記直立位置に固定されているときに、前記ＵＶ光源（１１２）を露出する開位置に前記シャッター（４０２）を移動させることと
を更に含む、請求項１０から１３の何れか一項に記載の方法。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御されることを予告する予告演出を決定する予告決定手段を備え、
前記予告決定手段は、
予告の対象となる可変表示よりも前に実行される可変表示において実行される先読み予告演出を決定する先読み予告決定手段と、
予告の対象となる可変表示において実行される可変表示時予告演出を決定する可変表示時予告決定手段と、
を含み、
前記可変表示時予告決定手段は、前記先読み予告決定手段により決定される先読み予告演出と組み合わせることが可能な可変表示時予告演出を決定することを特徴とする遊技機。
【手続補正２】
【補正対象書類名】明細書
【補正対象項目名】０００７
【補正方法】変更
【補正の内容】
【０００７】
（Ａ）上記目的を達成するため、本願の第１の観点に係る遊技機は、
可変表示を行い、遊技者にとって有利な有利状態（例えば、大当りの遊技状態）に制御可能な遊技機（例えば、パチンコ遊技機１）であって、
前記有利状態に制御されることを予告する予告演出を決定する予告決定手段（例えば、図１３のステップＳ１６０、及び、図１４の予告演出設定処理を行う演出制御用ＣＰＵ１２０）を備え、
前記予告決定手段は、
予告の対象となる可変表示（例えば、ターゲット変動）よりも前に実行される可変表示において実行される先読み予告演出（例えば、連続演出）を決定する先読み予告決定手段（例えば、図１４の予告演出設定処理のステップＳ５００において主基板１１からの始動入賞時のコマンドが入力されたと判定した場合に、ステップＳ５０２において連続演出のカテゴリを決定し、ステップＳ５０３において予告演出の開始タイミング及び回数を決定する演出制御用ＣＰＵ１２０）と、
予告の対象となる可変表示において実行される可変表示時予告演出（例えば、ターゲット変動時予告演出）を決定する可変表示時予告決定手段（例えば、図１４の予告演出設定処理のステップＳ５０７において、ターゲット変動時予告演出のグループを決定する演出制御用ＣＰＵ１２０）と、
を含み、
前記可変表示時予告決定手段は、前記先読み予告決定手段により決定される先読み予告演出と組み合わせることが可能な可変表示時予告演出を決定すること（例えば、演出制御用ＣＰＵ１２０が、図１４の予告演出設定処理のステップＳ５０７において、図２０の選択比率に応じて、連続演出のカテゴリと組み合わせることが可能なターゲット変動時予告演出のグループを決定すること）を特徴とする。
このような構成によれば、先読み予告演出と可変表示時予告演出とを適切な組み合わせとし、適切な態様の演出とすることができる。
【手続補正３】
【補正対象書類名】明細書
【補正対象項目名】０００８
【補正方法】変更
【補正の内容】
【０００８】
（１）上記目的を達成するため、本願の他の観点に係る遊技機は、
実行条件が成立したこと（例えば、普通入賞球装置６Ａが形成する第１始動入賞口や、普通可変入賞球装置６Ｂが形成する第２始動入賞口に遊技球が進入するによる始動条件の成立）に基づいて各々を識別可能な複数種類の識別情報（例えば、特別図柄）の可変表示を行い、識別情報の可変表示の表示結果として特定表示結果（例えば、大当り組合せの最終停止図柄）が導出表示されたときに、遊技者にとって有利な特定遊技状態（例えば、大当りの遊技状態）に制御する遊技機（例えば、パチンコ遊技機１）であって、
前記実行条件が成立したときに前記特定遊技状態に制御されることを予告する予告演出を決定する予告決定手段（例えば、図１３のステップＳ１６０、及び、図１４の予告演出設定処理を行う演出制御用ＣＰＵ１２０）を備え、
前記予告決定手段は、
前記実行条件が成立したことに基づいて実行される識別情報の可変表示（例えば、ターゲット変動）よりも前に実行される識別情報の可変表示において実行される先読み予告演出（例えば、連続演出）を決定する先読み予告決定手段（例えば、図１４の予告演出設定処理のステップＳ５００において主基板１１からの始動入賞時のコマンドが入力されたと判定した場合に、ステップＳ５０２において連続演出のカテゴリを決定し、ステップＳ５０３において予告演出の開始タイミング及び回数を決定する演出制御用ＣＰＵ１２０）と、
前記実行条件が成立したことに基づいて実行される識別情報の可変表示において実行される可変表示時予告演出（例えば、ターゲット変動時予告演出）を決定する可変表示時予告決定手段（例えば、図１４の予告演出設定処理のステップＳ５０７において、ターゲット変動時予告演出のグループを決定する演出制御用ＣＰＵ１２０）と、
を含み、
前記可変表示時予告決定手段は、前記先読み予告決定手段により決定される先読み予告演出と組み合わせることが可能な可変表示時予告演出を決定すること（例えば、演出制御用ＣＰＵ１２０が、図１４の予告演出設定処理のステップＳ５０７において、図２０の選択比率に応じて、連続演出のカテゴリと組み合わせることが可能なターゲット変動時予告演出のグループを決定すること）を特徴とする。
このような構成によれば、先読み予告演出と可変表示時予告演出とを適切な組み合わせとし、適切な態様の演出とすることができる。